(57)【特許請求の範囲】
【請求項１】
前面開放形ケース本体の前面上部に自動巻き取り式のナイトカバーを装備し、該ナイトカバーを繰出してケース本体の前面開口部を覆うようにした冷気循環式のオープンショーケースであり、ナイトカバーの先端フレーム部に把手付きの掛け金を取り付け、該掛け金をケース本体の下部フロント壁上縁に布設したフロントキャップに引っ掛けてナイトカバーを引き下ろし位置に掛止保持するようにしたものにおいて、前記掛け金の把手部先端にその表，裏両側に鉤部が突き出す二股状のフックを設け、掛け金の把手部を、ナイトカバーの先端フレーム部に対して前後方向に回動可能に枢支するとともに、フロントキャップの庫内側および庫外側の両側縁にナイトカバーの掛け金の把手部先端に設けた二股状のフックを引っ掛ける係合部が形成されていることを特徴とするオープンショーケース。
【発明の詳細な説明】
【技術分野】
【０００１】
本発明は、ナイトカバーを装備したオープンショーケースに関する。
【背景技術】
【０００２】
周知のように、スーパーマーケットなどの店舗に据付けて使用するオープンショーケースは、省エネ対策として本体ケースの上部前面に自動巻き取り式のナイトカバーを装備し、夜間時などの店舗閉店後の時間帯にナイトカバーを引き下ろしてケース本体の税面開口部を覆い、外気熱が庫内に侵入するのを抑制するようにしている（例えば、特許文献１参照）。
次に、前記のナイトカバーを装備したオープンショーケースの構成、および従来におけるナイトカバーの掛け金構造を図３，図４に示す。まず、図３において、１は前面開放形の断熱筐体になるケース本体の外箱、２は内箱、３は内箱２を取り巻いて外箱１との間に画成した冷気循環通路、４は冷却器（冷凍機のエバポレータ）、５は庫内ファン、６は循環冷気の吹出口、７は外箱１のフロント壁部１ａの内側に配した循環冷気の吸込グリル、８は庫内に配した商品陳列棚、９は庫内底部のデッキパン、１０は外箱１の前面頂部に設けたキャノピー部、１１は前記吸込グリル７とフロント壁部１ａの上縁に添わせて装着したフロントキャップ（樹脂の押出成形品）、１２はキャノピー部１０の庫内天井に設置した自動巻き取り式のナイトカバー（巻芯に巻き付けたナイトカバーが巻き戻し方向にばね付勢されている）、１３はナイトカバー１２の先端に取り付けた掛け金である。
【０００３】
また、前記の掛け金１３は、図４（ａ），（ｂ）で示すように先端をＪ字状に屈曲して鉤形のフック１３ａを形成し、中央に手を掛ける穴１３ｂを開口した把手構造で、ナイトカバー１２の先端フレーム部１２ａにネジ１３ｃで締結されている。
上記の構成で、図５のようにナイトカバー１２を巻き取り部から引き出して本体ケースの前面開口部を覆うようにした際に、前記掛け金１３のフックを図３のＡ部に対応するフロントキャップ１１の後縁（庫内側）に形成した係合部１１ａに引っ掛けてナイトカバー１２をこの位置に掛止保持するようにしている。
【特許文献１】特開２００３−１１１６５１号公報（図１，図４）
【発明の開示】
【発明が解決しようとする課題】
【０００４】
ところで、前記ナイトカバー１２の掛け金１３について、図４に示した従来構造の掛け金は機能，使い勝手性で次記のような難点がある。
すなわち、図５のようにナイトカバー１２の引き出し位置で掛け金１３をフロントキャップ１１の後縁に掛け止めする場合には特に問題ないが、図６のようにガラスあるいはアクリル樹脂製のフロントフェンス１４を、フロントキャップ１１に形成されている長手方向の溝部（フロンフェンス１４トを設置しない機種では溝部を盲蓋で覆っておく）に嵌め込んでケース本体のフロント壁１ａの上に取り付けたショーケースに適用してナイトカバー１２を引き出し位置に掛止する場合には、フェンス１４ないし庫内の陳列商品（商品の陳列の仕方によっては、フェンス１４の内側に商品が迫り出している場合がある）が邪魔になってこのままでは掛け金１３をフロントキャップ１１の庫内側の側縁に引っ掛け難い。
【０００５】
そこで、従来では図６のように掛け金１３のフックが後ろを向くように反転してナイトカバー１２の先端フレーム部１２ａに取り付けたナイトカバーを用い、このナイトカバー１２を引き下ろし位置に掛止するには、ナイトカバー１２をフェンス１４の前方側に引き出した上で、掛け金１３のフックをフロントキャップ１１の前縁（庫外側）に引っ掛けるようにしている。
つまり、フロントフェンス無し，フロントフェンス付きの各機種に対して、従来では掛け金１３の取り付け向きが異なる二種類のナイトカバー１２を用意するか、掛け金を反転して付け替える必要がある。また、従来構造では掛け金１３の把手部がナイトカバーの先端フレーム部１２ａに直接固定されているために、図６のように掛け金１３の把手部を掴んでフェンス１４の前方に引き下ろしたナイトカバー１２をフロントキャップ１１に掛止するには、掛け金１３と一緒に長尺なナイトカバーの先端フレーム部１２ａを後方に傾けてフロントキャップ１１の前縁に引っ掛けなければならず、その使い勝手が悪い。
【０００６】
本発明は上記の点に鑑みなされたものであり、オープンショーケースに装備したナイトカバーについて、フェンス無し，フェンス付きショーケースの各機種に共用でき、しかもナイトカバーを使用する際の利便性を考慮して掛け金のフロントキャップへの掛け止め操作が楽に行えるように改良したオープンショーケースを提供することを目的とする。
【課題を解決するための手段】
【０００７】
上記目的を達成するために、本発明によれば、前面開放形ケース本体の前面上部に自動巻き取り式のナイトカバーを装備し、該ナイトカバーを繰出してケース本体の前面開口部を覆うようにした冷気循環式のオープンショーケースで、前記ナイトカバーの先端フレーム部に把手付きの掛け金を取り付け、該掛け金をケース本体の下部フロント壁上縁に布設したフロントキャップに引っ掛けてナイトカバーを引き下ろし位置に掛止保持するようにしたものにおいて、前記掛け金の把手部先端にその表，裏両側に鉤部が突き出す二股状のフックを設け、前記掛け金の把手部を、ナイトカバーの先端フレーム部に対して前後方向に回動可能に枢支するとともに、二股状のフックを設けた前記の掛け金の構造に対応してフロントキャップの庫内側および庫外側の両側縁にナイトカバーの掛け金の把手部先端に設けた二股状のフックを引っ掛ける係合部を形成することにより、ナイトカバーの引き出し，掛止操作が楽に行え、このフロントキャップをフロントフェンス無し，フロントフェンス付きの各機種に共用できるようにする。
【発明の効果】
【０００８】
上記の構成によれば、二股状フック付きの掛け金を備えたナイトカバーを共用部品として、フロントフェンス無しのショーケースには掛け金の把手部表側に突き出すフックをフロントキャップの後縁側に形成した係合部に引っ掛け、またフロントフェンス付きのショーケースには掛け金の把手部裏側に突き出すフックをフロントキャップの前縁側に形成した係合部に引っ掛けてナイトカバーを引き下ろし位置に掛止保持することができる。
また、前記掛け金の把手部を、ナイトカバーの先端フレーム部に対して前後方向に回動可能に枢支したことで、ナイトカバーの引き下ろし，およびフロントキャップへの掛け止め操作がショーケースの機種に関係なく楽に行えて使い勝手性が向上する。
【発明を実施するための最良の形態】
【０００９】
以下、本発明の実施の形態を図１，図２に示す実施例に基づいて説明する。なお、実施例の図中で図４〜図６に対応する部材には同じ符号を付してその説明は省略する。
まず、図１（ａ），（ｂ）にナイトカバー１２の先端フレーム部１２ａに取り付けた本発明による掛け金１５の構造を示す。すなわち、掛け金１５は先端をＵ字形に折り返してナイトカバーの先端フレーム部１２ａにネジ１５ｂで締結した取付座金１５ａと、該座金１５の先端Ｕ字部に嵌合して前後に回転自在に枢支した吊り輪状の把手部（樹脂成形品）１５ｃと、この把手部１５ｃの先端に形成した二股状（錨形）のフック１５ｄとからなり、二股状のフック１５ｄはその一方のフック１５ｄ−１が掛け金１５の表側に、他方のフック１５ｄ−２が裏側に向けて突き出している。
次に、前記構造の掛け金１５を取り付けた自動巻き取り式のナイトカバー１２を図３に示したキャノピー部１０からケース本体１の前面開口部に引き下ろしてフロントキャップ１１に掛止する際の手順，操作を図２（ａ），（ｂ）により説明する。まず、ナイトカバー１２をフロントフェンス無しのショーケースに適用する場合には、掛け金１５の把手部１５ｃ（図１参照）に手を掛けて図２（ａ）のようにナイトカバー１２をケース本体の前面に引き下ろし、次に把手部１５を手で掴んだまま前部側のフック１５ｄ−１をフロントキャップ１１の後縁（庫内側）の係合部に引っ掛けてこの位置に掛止する。
【００１０】
一方、図２（ｂ）のようにフロントキャップ１１にフロントフェンス１４を装着したフェンス付きのショーケースでは、ナイトカバー１２をフロントフェンス１４の前方に引き出した上で、掛け金１５の把手部１５ｃを後方に回動して後部側のフック１５ｄ−２をフロントキャップ１１の前縁（庫外側）の係合部に引っ掛けてこの位置に掛止する。
なお、前記の掛止操作の際に、図１で述べたように掛け金１５の把手部１５ｃが取付座金１５ａへ回動自在に枢支されているので、図６の従来構造のようにナイトカバー１２の先端フレーム部１２ａを掛け金と一緒に傾けることなく、把手部１５ｃのフック１５ｄ−２を傾けてフロントキャップ１１に引っ掛けることができて掛止操作が楽に行える。
【図面の簡単な説明】
【００１１】
【図１】本発明の実施例によるナイトカバーの掛け金の構造図で、（ａ），（ｂ）はそれぞれ正面図，および側面図
【図２】図１の掛け金によるナイトカバーの引き出し，掛止状態を表す側視断面図で、（ａ），（ｂ）はそれぞれフロントフェンス無し，フロントフェンス付き機種への適用状態図
【図３】オープンショーケースの全体構成の側視断面図
【図４】図３のナイトカバーに取り付けた掛け金の従来構造図で、（ａ），（ｂ）はそれぞれ正面図，および側面図
【図５】フロントフェンス無しのショーケースに適用したナイトカバーを図４の掛け金でフロントキャップに掛け止めした状態を表す側視断面図
【図６】フロントフェンス付きショーケースに適用したナイトカバーを従来構造の掛け金でフロントキャップに掛け止めした状態を表す側視断面図
【符号の説明】
【００１２】
１    ケース本体
１ａ  フロント壁部
１１    フロントキャップ
１２    ナイトカバー
１４    フロントフェンス
１５    掛け金
１５ａ  取付座金
１５ｃ  把手部
１５ｄ  二股状フック
１５ｄ−１  前部側フック
１５ｄ−２  後部側フック
【図１】
0004774830.tif 000002
【図２】
0004774830.tif 000003
【図３】
0004774830.tif 000004
【図４】
0004774830.tif 000005
【図５】
0004774830.tif 000006
【図６】
0004774830.tif 000007